(57)【特許請求の範囲】
【請求項１】
本体内に流体を封入し、一方向クラッチを介してピニオンギアに連結された回転軸を該本体に挿通し、本体内に存する該回転軸の内方軸部に摺動可能に抵抗体を嵌着し、上記本体の内側面若しくは該抵抗体の一方の部材に環状溝を形成すると共に他方の部材に該環状溝に嵌入する作用片を形成し、上記内方軸部に半径方向に開口し軸方向に延びる通孔を設け、上記抵抗体に該通孔内に挿入されるスライド板を連結し、上記回転軸の一端に本体の外方に開口し上記通孔に連通する調整孔を形成し、該調整孔に調整ねじを回転可能に装着し、該調整ねじを上記スライド板にねじ係合し、該調整ねじを回転して上記抵抗体を内方軸部に沿って軸方向に移動させることを特徴とする流体摩擦抵抗型制動装置。
【請求項２】
上記内方軸部の外面には軸部スライド平面が形成され、上記抵抗体には該抵抗体を回り止め状態で軸方向に案内するよう上記軸部スライド平面に摺接する孔部スライド平面が形成されている請求項１に記載の流体摩擦抵抗型制動装置。
【請求項３】
上記通孔は上記内方軸部を貫通しており、上記スライド板は該通孔に貫挿されている請求項１に記載の流体摩擦抵抗型制動装置。
【請求項４】
上記本体は、ケースとカバーで構成され、上記環状溝は該カバーに形成され、上記作用片は上記抵抗体に形成されている請求項１に記載の流体摩擦抵抗型制動装置。
【発明の詳細な説明】
【技術分野】
【０００１】
本発明は、引戸、折り戸等の自閉装置を備えた扉に好適に使用され、扉が移動する際の速度を調整できるようにした流体摩擦抵抗型制動装置に関する。
【背景技術】
【０００２】
近年、病院、各種施設、障害者用トイレブース等において、自閉装置を備えた扉が使用されている。この自閉装置としては、例えば、ばね方式や傾斜レール方式が使用され、手動で扉を開き、手を離すと扉は自閉を開始する。この自閉速度は徐々に加速され、扉が閉鎖する間際では相当な閉じ速度となり、そのまま閉鎖すると戸枠の竪枠に大きな衝突音を発生しながら衝突し、また老人、幼児、車椅子の人等が扉と竪枠の間に挟まれる危険性もある。そのため、扉の速度を減速するため制動装置が通常設けられている。
【０００３】
上記制動装置としては、エアシリンダー方式、油圧シリンダー方式、油圧ポンプ方式、流体摩擦抵抗方式等が知られているが、エアシリンダ方式はエアの吸排気音や耐久性の問題があり、油圧方式は高価で取付時の芯出しが面倒で油漏れのおそれがあった。また、通常の流体摩擦抵抗方式は、制動抵抗の調整がむずかしかった。制動抵抗を容易に調整できる装置も知られているが（例えば、特許文献１参照）、この装置は、筐体内に設けた可動ドラムと回転ドラムを粘性流体を介して嵌合し、該可動ドラムの中心に調整ねじを螺合し、該調整ねじを回転して可動ドラムを移動し、回転ドラムとの接触、摺動面積を変更させることによって回転ドラムに対する可動ドラムの摩擦制動力を調整するよう構成されている。ところが、上記可動ドラムは、外周に設けた突起部分を筐体に設けた溝に係合して回り止めした状態で移動するよう構成されているだけで不安定な状態に保持されているので、上記可動ドラムの中心に螺合した調整ねじと可動ドラムのねじ係合具合がわずかでも振れると、外周部では大きな振れとなり、上記突起部分が正確に上記溝に係合しなくなって可動ドラムを円滑にスライドさせることがむずかしくなるおそれがあった。また、筐体内に回転ドラムと可動ドラムを設けなければならないので、構成が複雑で部品点数も多く、経済的に得られなかった。
【特許文献１】特開平８−９３３１２号公報（０００９、００１４、図２、図４）
【発明の開示】
【発明が解決しようとする課題】
【０００４】
本発明の解決課題は、上記のように自閉装置で移動する扉等に好適に使用される流体摩擦抵抗型制動装置において、部品点数が少なく、構成が簡単で各部材の移動がスムーズであり、確実に調整でき、経済的に得られるようにした上記装置を提供することである。
【課題を解決するための手段】
【０００５】
本発明によれば、本体内に流体を封入し、一方向クラッチを介してピニオンギアに連結された回転軸を該本体に挿通し、本体内に存する該回転軸の内方軸部に摺動可能に抵抗体を嵌着し、上記本体の内側面若しくは該抵抗体の一方の部材に環状溝を形成すると共に他方の部材に上記環状溝に嵌入する作用片を形成し、上記内方軸部に半径方向に開口し軸方向に延びる通孔を設け、上記抵抗体に該通孔内に挿入されるスライド板を連結し、上記回転軸の一端に本体の外方に開口し上記通孔に連通する調整孔を形成し、該調整孔に調整ねじを回転可能に装着し、該調整ねじを上記スライド板にねじ係合し、該調整ねじを回転し上記抵抗体を内方軸部に沿って軸方向に移動させることを特徴とする流体摩擦抵抗型制動装置が提供され、上記課題が解決される。
【発明の効果】
【０００６】
本発明は上記のように構成され、流体を封入した本体に回転軸を挿通し、本体内に存する回転軸の内方軸部に摺動可能に抵抗体を嵌着し、上記本体の内側面若しくは抵抗体の一方の部材に環状溝を形成すると共に他方の部材に該環状溝に嵌入する作用片を形成し、上記内方軸部に形成した通孔にスライド板を挿入して上記抵抗体に連結し、該スライド板に調整ねじをねじ係合し、該調整ねじを回転して上記抵抗体を内方軸部に沿って軸方向に移動させるようにしたから、上記内方軸部に嵌着した抵抗体は安定状態に保持され、斜めになったりせずに正確かつスムーズに軸方向に移動し、回転に支障を生じることがなく、流体を介して回転自在に嵌合する環状溝と作用片の嵌入量を調整することにより制動力を調整することができる。また、本体内に従来のように回転ドラムや可動ドラムを設ける必要がないので、部品点数が少なく、構成も簡単で経済的に得ることができる。
【発明を実施するための最良の形態】
【０００７】
図１、図２は、本発明を引戸に適用した一実施例を示し、引戸（１）は、ハンガー（２）により戸枠（上枠）（３）に懸架され、該ハンガー（２）に設けた戸車（４）が戸枠のレール（５）上を転動することにより開閉可能に設けられている。該引戸（１）と戸枠（３）の間には、図示を省略した適宜の自閉装置が設けられており、引戸を開く際は該自閉装置に抗して手動で引戸を開き、引戸から手を離せば、該自閉装置により引戸（１）が閉鎖位置に向って移動する。
【０００８】
閉鎖位置に達したとき衝撃的に戸枠（竪枠）にぶつからないよう上記ハンガー（２）には制動装置（６）が設けられている。該制動装置（６）は、ピニオンギア（７）を有し、閉鎖位置に近づくとき該ピニオンギア（７）がかみ合うよう戸枠（３）の適所にはラック（８）が設けられている。
【０００９】
図３〜図５には、本発明の制動装置（６）の一実施例が示されている。該装置は、上記ハンガー（２）にボルト等で固定されるケース（９）と、該ケース（９）にオイルシールを介して嵌着されボルト等で固定されるカバー（１０）を含む本体（１１）を有し、内部にジメチルシリコンオイルその他適宜の粘性流体等の流体が封入されている。該本体（１１）は、一端に軸受（１２）を有し、他端に支持孔（１３）を有するボス部（１４）が形成され、該軸受（１２）とボス部（１４）に軸支されるよう回転軸（１５）が挿通されている。
【００１０】
該回転軸（１５）は、引戸を開くときはピニオンギアの回転を回転軸に伝えず、閉じるときはピニオンギアの回転を回転軸に伝達するようにした一方向クラッチ（１６）を介して上記ピニオンギア（７）に連結され、抜け止め片（１７）で抜け止めされ、上記軸受（１２）の側方や上記ボス部（１４）には、オイルシール（１８）、（１９）が設けられ、ケース（９）の内面との間には、平座金（２０）が設けられている。
【００１１】
上記本体（１１）の内方に存する回転軸（１５）の内方軸部（２１）には、半径方向に開口し軸方向に延びる通孔（２２）が形成され、かつ外面には軸部スライド平面（２３）が対向状態に形成されている。また、該回転軸（１５）には、本体（１１）の外方に開口し、上記通孔（２２）に連通する調整孔（２４）が形成されている。
【００１２】
上記内方軸部（２１）には、抵抗体（２５）が摺動可能に嵌着している。該抵抗体（２５）は種々の形状に形成することができるが、図に示す実施例においては、上記内方軸部（２１）に摺接する筒状部（２６）と、該筒状部（２６）から半径方向に拡がる円板状部（２７）を有し、上記筒状部（２６）の内面には上記軸部スライド平面（２３）に摺接する孔部スライド平面（２８）が設けられ、抵抗体を回り止めしている。
【００１３】
上記本体（１１）の内側面若しくは該抵抗体（２５）の一方の部材には、環状溝（２９）が形成され、他方の部材には上記流体を介して該環状溝（２９）内に嵌入する作用片（３０）が形成されている。図に示す実施例では、上記本体（１１）のカバー（１０）に環状溝（２９）を形成し、抵抗体（２５）の円板状部（２７）の側方に作用片（３０）を形成して作用片側が回転するようにしてあるが、環状溝を抵抗体側に形成し、作用片を本体側に形成して環状溝側が回転するようにしてもよい。また、上記環状溝及び作用片は、同心円上に複数形成することもできる。
【００１４】
上記抵抗体（２５）の筒状部（２６）には半径方向に開口する取付孔（３１）を設けてあり、該取付孔（３１）を通してスライド板（３２）が上記通孔（２２）内に挿入されている。なお、図に示す実施例では、上記通孔（２２）は半径方向の両端に開口し、上記スライド板（３２）は上記筒状部（２６）を半径方向の一端から他端まで貫挿しているが、半径方向のいずれか一方のみに通孔（２２）を開口させ、スライド板も半径方向の一方側のみに延びるようにしてもよい（図示略）。
【００１５】
上記調整孔（２４）には、上記スライド板（３２）のねじ孔（３３）にねじ係合する調整ねじ（３４）が回転可能に装着されている。該調整ねじ（３４）の周囲には、オイルシール（３５）が設けられ、環状の抜け止め片（３６）で抜け止めされ、頭部（３７）に形成した掛止溝（３８）にドライバー（図示略）等を挿入して回転することができる。
【００１６】
上記の構成により、引戸を開く際は、ラック（８）とピニオンギア（７）がかみ合っても、一方向クラッチ（１６）によりピニオンギアの回転が回転軸（１５）に伝えられないよう構成してあるので、上記抵抗体（２５）は回転せず、制動抵抗は生じない。
【００１７】
引戸を閉じる際、ラック（８）とピニオンギア（７）がかみ合うと、回転軸（１５）に回転が伝達され、上記抵抗体（２５）は回転する。この際、流体を介して環状溝（２９）内に作用片（３０）が回転自在に嵌入しているから、制動抵抗が発生し、引戸の移動は制動される。
【００１８】
上記制動抵抗は、上記調整ねじ（３４）を回転してスライド板（３２）を介し抵抗体（２５）を移動させることにより、環状溝（２９）と作用片（３０）の嵌入量を可変することができるので、調整することができる（図３、図４参照）。この調整の際、上記抵抗体（２５）は、内方軸部（２１）に嵌着した状態で軸方向に移動するから、傾斜したりするおそれがなく、上記環状溝（２９）と作用片（３０）は正確な嵌合状態を維持でき、円滑に回転しなくなることはない。
【図面の簡単な説明】
【００１９】
【図１】本発明の一実施例を示し、引戸と戸枠の関係を示す側面からみた説明図。
【図２】引戸上部と戸枠の関係を示す一部の正面図。
【図３】制動装置の断面図。
【図４】図３に示す状態から抵抗体を移動させた状態の断面図。
【図５】回転軸、抵抗体等の分解斜視図。
【図６】抵抗体の筒状部の縦断面図。
【符号の説明】
【００２０】
６    制動装置
７    ピニオンギア
１１    本体
１５    回転軸
１６    一方向クラッチ
２１    内方軸部
２２    通孔
２４    調整孔
２５    抵抗体
２９    環状溝
３０    作用片
３２    スライド板
３４    調整ねじ
【図１】
0004589841.tif 000002
【図２】
0004589841.tif 000003
【図３】
0004589841.tif 000004
【図４】
0004589841.tif 000005
【図５】
0004589841.tif 000006
【図６】
0004589841.tif 000007